(57)【要約】      （修正有）【課題】略同時刻に実際に測定された測定値を同時刻で測定されたデータとして取得可能な振動モニタリングシステムを提供。【解決手段】無線通信網を介して相互通信が可能な複数のセンサーユニット１Ａ１〜１Ａｎ，１Ｂ１〜１Ｂｎと、無線通信網を介して相互通信が可能なデータ収集ユニット２Ａ，２Ｂを備え、センサーユニットが、３軸加速度センサー、処理装置、計測プログラムが格納された記憶装置、内蔵時計を備え、計測プログラムが、他のセンサーユニットとの無線通信により内蔵時計の時刻を定期的に同期させる時刻同期手段と、所定時間内の加速度波形を分析し、有意な振動加速度が含まれる場合には所定時間内における３軸加速度センサーの計測値を、タイムスタンプを付して記憶装置に記憶する振動データ記憶手段と、記憶装置に記憶した３軸加速度センサーの計測値をデータ収集ユニットに無線通信網を介して送信する振動データ送信手段を備える。【選択図】図１
2019100914.tif 000002
【特許請求の範囲】
【請求項１】
無線通信網を介して相互通信が可能な複数のセンサーユニットと、前記センサーユニットと前記無線通信網を介して相互通信が可能なデータ収集ユニットとを備える振動モニタリングシステムであって、
前記センサーユニットが、３軸加速度センサー、処理装置、計測プログラムが格納された記憶装置、内蔵時計、電源装置および無線通信装置を備え、
前記計測プログラムが、他のセンサーユニットとの無線通信により内蔵時計の時刻を定期的に同期させる時刻同期手段と、
所定時間内の加速度波形を分析し、有意な振動加速度が含まれている場合には当該所定時間内における前記３軸加速度センサーの計測値を、タイムスタンプを付して前記記憶装置に記憶する振動データ記憶手段と、
前記記憶装置に記憶された前記３軸加速度センサーの計測値を前記データ収集ユニットに前記無線通信網を介して送信する振動データ送信手段と、
を備えることを特徴とする振動モニタリングシステム。
【請求項２】
前記振動データ記憶手段が、所定時間における前記３軸加速度センサーの計測値を一時保存する第１の領域と第２の領域とを設定し、所定時間経過する毎に前記３軸加速度センサーの計測値の保存先を第１の領域および第２の領域間で切り替えることを特徴とする請求項１に記載の振動モニタリングシステム。
【請求項３】
前記振動データ記憶手段が、前記内蔵時計からの割り込み入力を基準に前記３軸加速度センサーの計測値の保存先を第１の領域および第２の領域間で切り替えることを特徴とする請求項２に記載の振動モニタリングシステム。
【請求項４】
前記内蔵時計が、前記処理装置が備える第一の水晶時計と、前記無線通信装置が備える第二の水晶時計とから構成され、
前記第一の水晶時計と前記第二の水晶時計とが所定の間隔で同期されることを特徴とする請求項１ないし３のいずれかに記載の振動モニタリングシステム。
【請求項５】
前記振動データ記憶手段が、予め定められた時間帯の各軸の加速度計測値を平滑化処理し、ノイズ成分を低減させてから前記記憶装置に記憶することを特徴とする請求項１ないし４のいずれかに記載の振動モニタリングシステム。
【請求項６】
前記時刻同期手段が、前記センサーユニット間におけるタイムスタンプのズレを１／１００秒以下に維持することを特徴とする請求項１ないし５のいずれかに記載の振動モニタリングシステム。
【請求項７】
前記電源装置が電池を備え、当該電池で２日間以上駆動することができることを特徴とする請求項１ないし６のいずれかに記載の振動モニタリングシステム。
【請求項８】
さらに、前記データ収集ユニットと通信可能な監視サーバを備え、
前記監視サーバが、前記タイムスタンプが付された３軸加速度センサーの計測値に基づき構造物の変位量を算出する手段、および／または、前記タイムスタンプが付された３軸加速度センサーの計測値に基づき構造物の傾斜角を算出する手段を備えることを特徴とする請求項１ないし７のいずれかに記載の振動モニタリングシステム。
【請求項９】
請求項１ないし７のいずれかに記載の振動モニタリングシステムのデータ収集ユニットと通信可能な監視サーバであって、
前記タイムスタンプが付された３軸加速度センサーの計測値に基づき構造物の変位量を算出する手段、および／または、前記タイムスタンプが付された３軸加速度センサーの計測値に基づき構造物の傾斜角を算出する手段を備えることを特徴とする監視サーバ。
【発明の詳細な説明】
【技術分野】
【０００１】
本発明は、構造物の複数の箇所に取り付けた複数の３軸加速度センサーの測定値に基づいて、構造物の振動をモニタリングする振動モニタリングシステムに関する。
【背景技術】
【０００２】
従来、構造物に取り付けた加速度センサーの測定値を無線通信により収集し、収集した測定値に基づいて、構造物の振動をモニタリングする振動モニタリングシステムが知られている。このような振動モニタリングシステムとして、たとえば特許文献１では、一定以上の加速度を検知した場合に、省電力状態から完全動作状態に切り替えて、加速度を検出・記憶するシステムが開示されている。また、特許文献２では、振動データを所定の判定値に基づいて判定し、判定値を超えた振動データを保存するシステムが開示されている。さらに、特許文献３では、振動を加振して２つのセンサーで検出させ、２つのセンサーの変位量に基づいて一方のセンサーの測定値を補正するシステムが開示されている。
【先行技術文献】
【特許文献】
【０００３】
【特許文献１】特表２０１７−５０９８８１号公報
【特許文献２】特開２００６−２４２８２６号公報
【特許文献３】特開２０１５−９９０７３号公報
【発明の概要】
【発明が解決しようとする課題】
【０００４】
構造物の状態を高い精度でモニタリングするためには、構造物の複数の箇所に設置された複数の加速度センサーが略同時刻（具体的には、１／１００秒の誤差範囲内）に測定した測定値を比較することが要求される。しかしながら、加速度センサーを構造物内部に設置する場合には、ＧＰＳなどの外部から正確な時刻を取得することができないため、内蔵する時計に基づいて、加速度センサーの取得時刻を決定することが求められるが、通常の水晶時計を用いた場合には、水晶時計に一定の誤差が生じてしまい、実際には同時刻で取得した加速度であっても、加速度センサーごとに取得時刻のデータに誤差が生じてしまう場合があった。このような問題に対して、高精度の発信器を有する小型内蔵時計、たとえばチップレベルの原子時計を内蔵させることも考えられるが、このような小型内蔵時計は高価であり、システム全体のコストが増大してしまうという問題があった。そのため、このような高価な内蔵時計を用いることなく、構造物内の複数の箇所に設置された加速度センサーから、略同時刻で取得された複数の加速度データを同時刻で取得したデータとして取得可能なシステムが要求されていた。
【０００５】
本発明は、高価な小型内蔵時計を用いることなく、略同時刻で測定された測定値を同時刻で取得した測定値として取得可能な振動モニタリングシステムを提供することを目的とする。
【課題を解決するための手段】
【０００６】
本発明に係る振動モニタリングシステムは、無線通信網を介して相互通信が可能な複数のセンサーユニットと、前記センサーユニットと前記無線通信網を介して相互通信が可能なデータ収集ユニットとを備える振動モニタリングシステムであって、前記センサーユニットが、３軸加速度センサー、処理装置、計測プログラムが格納された記憶装置、内蔵時計、電源装置および無線通信装置を備え、前記計測プログラムが、他のセンサーユニットとの無線通信により内蔵時計の時刻を定期的に同期させる時刻同期手段と、所定時間内の加速度波形を分析し、有意な振動加速度が含まれている場合には当該所定時間内における前記３軸加速度センサーの計測値を、タイムスタンプを付して前記記憶装置に記憶する振動データ記憶手段と、前記記憶装置に記憶された前記３軸加速度センサーの計測値を前記データ収集ユニットに前記無線通信網を介して送信する振動データ送信手段と、を備えることを特徴とする。
【０００７】
前記振動モニタリングシステムは、前記振動データ記憶手段が、所定時間における前記３軸加速度センサーの計測値を一時保存する第１の領域と第２の領域とを設定し、所定時間経過する毎に前記３軸加速度センサーの計測値の保存先を第１の領域および第２の領域間で切り替えるように構成してもよい。
【０００８】
前記振動モニタリングシステムは、前記振動データ記憶手段が、前記内蔵時計からの割り込み入力を基準に前記３軸加速度センサーの計測値の保存先を第１の領域および第２の領域間で切り替えるように構成してもよい。
【０００９】
前記振動モニタリングシステムは、前記内蔵時計が、前記処理装置が備える第一の水晶時計と、前記無線通信装置が備える第二の水晶時計とから構成され、前記第一の水晶時計と前記第二の水晶時計とが所定の間隔で同期されるように構成してもよい。
【００１０】
前記振動モニタリングシステムは、前記振動データ記憶手段が、予め定められた時間帯の各軸の加速度計測値を平滑化処理し、ノイズ成分を低減させてから前記記憶装置に記憶するように構成してもよい。
【００１１】
前記振動モニタリングシステムは、前記時刻同期手段が、前記センサーユニット間におけるタイムスタンプのズレを１／１００秒以下に維持するように構成してもよい。
【００１２】
前記振動モニタリングシステムは、前記電源装置が電池を備え、当該電池で２日間以上駆動することができるように構成してもよい。
【００１３】
前記振動モニタリングシステムは、さらに、前記データ収集ユニットと通信可能な監視サーバを備え、前記監視サーバが、前記タイムスタンプが付された３軸加速度センサーの計測値に基づき構造物の変位量を算出する手段、および／または、前記タイムスタンプが付された３軸加速度センサーの計測値に基づき構造物の傾斜角を算出する手段を備えるように構成してもよい。
【発明の効果】
【００１４】
本発明によれば、高価な小型内蔵時計を用いることなく、略同時刻で取得された測定値を同時刻で取得された測定値として取得することができる振動モニタリングシステムを提供することが可能となる。
【図面の簡単な説明】
【００１５】
【図１】本実施形態に係る振動モニタリングシステムの構成を示す概略図である。
【図２】本実施形態に係るセンサーユニットの構成を示すブロック図である。
【図３】本実施形態に係るデータ収集ユニットの構成を示すブロック図である。
【図４】本実施形態に係る遠隔モニタリング装置の構成を示すブロック図である。
【図５】本実施形態に係る振動モニタリング処理を示すフローチャートである。
【図６】本実施形態に係るセンサーユニットの動作を説明するための図である。
【図７】本実施形態に係る時刻同期処理を示すフローチャートである。
【発明を実施するための形態】
【００１６】
以下に、本実施形態に係る振動モニタリングシステムを図に基づいて説明する。図１は、本実施形態に係る振動モニタリングシステムの構成を示す概略図である。図１に示すように、本発明に係る振動モニタリングシステムは、構造物の複数の箇所に設置される複数のセンサーユニット１と、複数のセンサーユニット１の測定値を収集するデータ収集ユニット２と、データ収集ユニット２からデータを受信する遠隔モニタリング装置３とから構成される。
【００１７】
図１に示すように、複数のセンサーユニット１は、構造物の複数の箇所にそれぞれ設置される。たとえば、図１に示す例では、構造物Ａの複数の箇所に複数のセンサーユニット１Ａ１〜１Ａｎがそれぞれ設置されており、構造物Ｂの複数の箇所に複数のセンサーユニット１Ｂ１〜１Ｂｎが設置されている。なお、図１に示す複数のセンサーユニット１Ａ１〜１Ａｎ，１Ａ１〜１Ａｎは総称してセンサーユニット１ともいう。センサーユニット１は、３軸加速度センサー１０を有しており、複数のセンサーユニット１Ａ１〜１Ａｎは構造物Ａの各箇所の振動を加速度データとしてそれぞれ測定し、複数のセンサーユニット１Ｂ１〜１Ｂｎが構造物Ｂの各箇所の振動を加速度データとしてそれぞれ測定する。そして、センサーユニット１は、無線通信により、測定した加速度データからなる加速度波形データを、データ収集ユニット２まで送信する。
【００１８】
ここで、センサーユニット１は、それぞれが直接、データ収集ユニット２に加速度データを送信するのではなく、図１に示すように、他のセンサーユニット１を介して、データ収集ユニット２に加速度データを送信するマルチホップ通信を行う。そして、データ収集ユニット２が、収集した加速度データを、電気通信回線４を介して、遠隔モニタリング装置３に送信する。たとえば、図１に示す例では、構造物Ａにおいて、センサーユニット１Ａ１は測定した加速度データをセンサーユニット１Ａ２に送信する。そして、センサーユニット１Ａ２は、当該センサーユニット１Ａ２が測定した加速度データと、センサーユニット１Ａ１から送信された加速度データとを、図示しないセンサーユニット１Ａ３に送信する。同様に、センサーユニット１Ａ３〜１Ａｎ−１で加速度データの送信が行われる。そして、センサーユニット１Ａｎは、当該センサーユニット１Ａｎが測定した加速度データと、センサーユニット１Ａ１〜１Ａｎ−１から送信された加速度データとを、データ収集ユニット２Ａに送信する。さらに、データ収集ユニット２Ａは、複数のセンサーユニット１Ａ１〜１Ａｎで測定された加速度データを、電気通信回線４を介して遠隔モニタリング装置３に送信する。同様に、構造物Ｂにおいても、センサーユニット１Ｂ１〜１Ｂｎが、それぞれの加速度データを、マルチホップ通信によりデータ収集ユニット２Ｂまで無線送信し、最終的に、データ収集ユニット２Ｂがセンサーユニット１Ｂ１〜１Ｂｎの加速度データを、電気通信回線４を介して、遠隔モニタリング装置３に送信する。
【００１９】
なお、図１に示す例では、センサーユニット１Ａ１〜１Ａｎおよびデータ収集ユニット２Ａと、センサーユニット１Ｂ１〜１Ｂｎおよびデータ収集ユニット２Ａとがそれぞれリニアに接続されている構成を例示しているが、この構成に限定されず、センサーユニット１Ａ１〜１Ａｎおよびデータ収集ユニット２Ａと、センサーユニット１Ｂ１〜１Ｂｎおよびデータ収集ユニット２Ａとがそれぞれツリー形式で接続される構成としてもよい。この場合、データ収集ユニット２Ａは、複数のセンサーユニット１Ａから加速度データを受信する構成とすることができる。また、以下においては、マルチホップ通信において、データ収集ユニット２側にあるセンサーユニット１に対し、データ収集ユニット２と反対側にあるセンサーユニット１を下流と称し、反対に、データ収集ユニット２と反対側にあるセンサーユニット１に対し、データ収集ユニット２側にあるセンサーユニット１を上流と称す。
【００２０】
次に、センサーユニット１の構成について説明する。図２は、本実施形態に係るセンサーユニット１の構成を示すブロック図である。図２に示すように、本実施形態に係るセンサーユニット１は、３軸加速度センサー１０と、電源装置１１と、処理モジュール２０と、無線通信モジュール３０とを備える。
【００２１】
３軸加速度センサー１０は、複数方向（３次元）の加速度を検出する。３軸加速度センサー１０により取得された３軸方向それぞれの加速度データは、処理モジュール２０の処理装置２１に送信される。
電源装置１１は、常時は商用電源から電力を受電し、停電時は電池から電力を受電する電源装置である。実施例のセンサーユニット１の消費電力は０．１Ｗ未満で、単三形Ｌリチウム乾電池２本で５日程度動作する。
【００２２】
処理モジュール２０は、図２に示すように、処理装置２１と、水晶時計２３と、記憶装置２４とを備える。処理装置２１は、たとえば、ＭＣＵ（Micro Controller Unit）であり、構造物の振動を計測するための計測プログラムが記憶されている。処理装置２１は、計測プログラムを実行することで、３軸加速度センサー１０から加速度データを取得する加速度データ取得機能と、取得した加速度データを記憶領域に一時記憶させるデータ書き込み機能と、一定時間における加速度データの時系列データ（以下、加速度波形データともいう）を評価するデータ評価機能と、加速度データに基づいて構造物の傾斜角を算出する傾斜角算出機能と、無線通信により送信する加速度波形データを記憶装置２４に記憶するデータ保存機能と、加速度波形データおよび傾斜角データを無線送信するデータ送信機能と、処理モジュール２０に内蔵された水晶時計２３の時刻をデータ収集ユニット２の時刻に同期させる時刻同期機能と、処理モジュール２０の水晶時計２３の時刻を基準として、３軸加速度センサー１０から取得した加速度データを書き込む記憶領域を一定時間ごとに切り替える記憶領域切替機能とを有する。なお、地震発生時には、無線通信網の機能が失われることがあるが、その場合でも加速度波形データおよび傾斜角データは記憶装置２４に保存される。また、処理装置２１の各機能の詳細については後述する。
【００２３】
無線通信モジュール３０は、図２に示すように、無線通信処理装置３１と、アンテナ３２と、水晶時計３３とを備える。無線通信処理装置３１は、アンテナ３２を介して、下流のセンサーユニット１から加速度波形データおよび傾斜角データを無線通信で受信するとともに、下流のセンサーユニット１から受信した加速度波形データおよび傾斜角データ並びに当該センサーユニット１で取得した加速度波形データおよび傾斜角データを、上流のセンサーユニット１またはデータ収集ユニット２に無線通信で送信する。なお、センサーユニット１がどのセンサーユニット１からデータを受信し、どのセンサーユニット１にデータを送信するかは、無線通信処理装置３１の機能により予め決定されている。
【００２４】
また、無線通信処理装置３１は、無線マルチホップ通信により、上流のセンサーユニット１またはデータ収集ユニット２から時刻データを受信する機能も有する。さらに、無線通信処理装置３１は、無線マルチホップ通信により、受信した時刻データを、下流のセンサーユニット１に送信する機能も有する。無線通信処理装置３１は、各無線通信処理装置が多段に中継することにより、広範囲の無線マルチホップネットワークを自動で構築することができる。無線通信処理装置３１は、自動的に品質の良い通信経路を選択して中継することもできるし、優先したい経路を固定で設定することもできる。
【００２５】
次に、データ収集ユニット２の構成について説明する。図３は、本実施形態に係るデータ収集ユニット２の構成を示すブロック図である。本実施形態に係るデータ収集ユニット２は、図３に示すように、処理装置４１と、記憶装置４２と、無線通信装置４３と、回線通信装置４４と、水晶時計４５とを備える。
【００２６】
処理装置４１は、無線通信装置４３を介して、複数のセンサーユニット１から加速度波形データおよび傾斜角データを受信する。そして、処理装置４１は、複数のセンサーユニット１から受信した加速度波形データおよび傾斜角データを、３Ｇ網、ＬＴＥ網等の携帯電話網通信が可能な回線通信装置４４により、電気通信回線４を通じて遠隔モニタリング装置３に送信する。なお、遠隔モニタリング装置３に送信するデータの送信容量よりも、センサーユニット１から受信するデータの受信容量の方が大きい場合には、処理装置４１は、送信待ちのデータを、記憶装置４２に一時的に記憶することができる。そして、処理装置４１は、複数のセンサーユニット１から受信した加速度波形データおよび傾斜角データを記憶装置４２に保存すると共に、３Ｇ網、ＬＴＥ網等の携帯電話網通信が可能な回線通信装置４４により、電気通信回線４を通じて遠隔モニタリング装置３に送信する。なお、地震発生時には電気通信回線４の機能が一時的に失われることがあるが、その場合でも加速度波形データおよび傾斜角データは記憶装置４２に保存される。
【００２７】
また、処理装置４１は、内蔵する水晶時計４５の時刻データを、無線通信装置４３を介して、センサーユニット１に送信する機能を有する。各センサーユニット１に送信される時刻データは、各センサーユニット１の時刻を、データ収集ユニット２の時刻に同期するために利用されることとなる。
【００２８】
次に、遠隔モニタリング装置３の構成について説明する。図４は、遠隔モニタリング装置３の構成を示すブロック図である。遠隔モニタリング装置３は、たとえばＰＣサーバなどの機器であり、図４に示すように、処理装置５１と、受信装置５２と、データベース５３と、入力装置５４と、表示装置５５とを有する。
【００２９】
処理装置５１は、ユーザが構造物の状態をモニタリングするための監視プログラムと、監視プログラムを実行するＣＰＵ（Central Processing Unit）と、アクセス可能な記憶装置として機能するＲＡＭ（Random Access Memory）と、を備える。そして、処理装置５１は、ＲＡＭに記憶されたプログラムをＣＰＵで実行することで、データ収集ユニット２から加速度波形データおよび傾斜角データを受信するデータ受信機能と、データベース５３から同時刻に取得された加速度データを抽出する加速度データ抽出機能と、構造物の各箇所の振動の変位量を算出する変位量算出機能と、構造物の各箇所の加速度データ、変位量、傾斜角のいずれか１以上を含むモニタリング情報をユーザに提示する情報提示機能と、を有する。なお、処理装置５１の各機能の詳細については後述する。
【００３０】
次に、本実施形態に係る振動モニタリングシステムの実施例および動作について説明する。本実施例では、３軸加速度センサー１０としてＡＤＸＬ３５５（アナログデバイセズ社）を、無線通信モジュール３０として通信距離の長い９２０ＭＨｚ帯無線に対応したＳＲ９２０（沖電気工業株式会社）を、バッファ記憶装置となる記憶装置２４としてＭｉｃｒｏＳＤを使用した。
【００３１】
まず、本実施形態に係る振動モニタリング処理について説明する。なお、図５は、本実施形態に係る振動モニタリング処理を示すフローチャートであり、図６は、本実施形態に係るセンサーユニット１の動作を説明するための図である。なお、図５に示すように、ステップＳ１０１〜Ｓ１０８の処理は各センサーユニット１により実行され、ステップＳ１０９の処理はデータ収集ユニット２により実行され、ステップＳ１１０〜Ｓ１１３の処理は遠隔モニタリング装置３により実行される。また、図５に示す例では、説明の便宜上に、ステップＳ１０１〜Ｓ１１３の処理を時系列に並べて説明するが、各処理はそれぞれ独自のサイクルで繰り返し行われており、また、異なる処理が並行して行われることもある。
【００３２】
ステップＳ１０１では、構造物の各箇所に設置された３軸加速度センサー１０により、３軸方向の加速度データが測定される。本実施形態において、３軸加速度センサー１０は、独自のクロックメカニズムにより（たとえば５ミリ秒ごとに）、自律的に、処理モジュール２０の処理装置２１に対して、ＤａｔａＲｅａｄｙ信号を出力する。ＤａｔａＲｅａｄｙ信号は割り込み入力となっており、処理モジュール２０の処理装置２１はＤａｔａＲｅａｄｙ信号を受信すると即座に、処理装置２１の加速度データ取得機能により、３軸加速度センサー１０から３軸方向の加速度データをＩ２Ｃ通信で取得する。
【００３３】
ステップＳ１０２では、処理装置２１のデータ書き込み機能により、ステップＳ１０１で取得された加速度データが、第１記憶領域２２Ａおよび第２記憶領域２２Ｂのいずれか一方に記憶される。ここで、本実施形態においては、第１記憶領域２２Ａおよび第２記憶領域２２Ｂのうち、測定された加速度データが書き込まれる領域をアクティブ領域と称し、もう一方の記憶領域をストア領域と称する。アクティブ領域とストア領域とは、処理装置２１により、一定時間（たとえば１０秒）ごとに交互に切り替えられる。
【００３４】
たとえば、図６に示す例では、時刻ｎから、第１記憶領域２２Ａを、３軸加速度センサー１０の加速度データを書き込むアクティブ領域としており、第２記憶領域２２Ｂをストア領域としている。この場合、データ書き込み機能は、時刻ｎから一定時間、アクティブ領域である第１記憶領域２２Ａに、３軸加速度センサー１０から取得した加速度データを記憶させる。
アクティブ領域とストア領域との切替は、処理モジュール２０の水晶時計２３からの１秒毎の割り込み入力を基準に行っており、ソフトウェア処理による揺らぎを起こさない設計としている。
【００３５】
ステップＳ１０３では、処理装置２１のデータ評価機能により、ステップＳ１０２で書き込まれた時系列の加速度データ（加速度波形データ）の評価が行われる。具体的には、データ評価機能は、まず、第１記憶領域２２Ａおよび第２記憶領域２２Ｂのうち、ストア領域である記憶領域から一定時間前までの加速度データの時系列データを加速度波形データとして読み込む。たとえば、図６に示す例において、時刻ｎから第２記憶領域２２Ｂがストア領域となっている場合には、データ評価機能は、時刻ｎの直前にストア領域であった第１記憶領域２２Ａに記憶された、時刻ｎ−１から時刻ｎまでに取得された加速度データの時系列データを、加速度波形データとして読み込む。そして、データ評価機能は、読みだした加速度波形データに有意な振動加速度が含まれるか否かの評価を行う。なお、ステップＳ１０３のデータ評価処理は、ステップＳ１０２のデータ書き込み処理と並行して行なわれる。
【００３６】
ステップＳ１０４では、処理装置２１のデータ評価機能により、ステップＳ１０３における加速度波形データの評価結果に基づいて、加速度波形データに有意な振動加速度が含まれるか否かの判断が行われる。加速度波形データに有意な振動加速度が含まれると判断された場合には、ステップＳ１０５に進み、一方、加速度波形データに有意な振動加速度が含まれないと判断された場合は、ステップＳ１０６に進む。
【００３７】
ステップＳ１０３およびＳ１０４における有意な振動加速度の判定方法について補足の説明をする。一定期間（たとえば１０秒間）の加速度波形に有意な振動加速度が含まれるかどうかの判定方法は、たとえば次の手順で行う。
（１）ＸＹＺの各軸の加速度計測値について、期間平均値（Xave, Yave, Zave）を算出する。
（２）ＸＹＺの各軸について、読み込んだ全ての時系列加速度データと平均値の差の絶対値（abs(X - Xave), abs(Y - Yave), abs(Z - Zave)）を算出し、絶対値の期間最大値（Xmax, Ymax, Zmax）を算出する。ここで、各軸の絶対値は、重力加速度の寄与のない振動加速度の大きさである。
（３）(Xmax + Ymax + Zmax)が予め設定した閾値を超える場合に、当該期間に有意な振動加速度が含まれていると判定する。
【００３８】
ステップＳ１０５では、処理装置２１のデータ保存機能により、有意な振動加速度が含まれると判断された加速度波形データが、記憶装置２４に記憶される。具体的には、データ保存機能は、有意な振動加速度を含む期間の加速度波形データに、当該加速度波形データの取得が開始された時刻をタイムスタンプとして付与し、記憶装置２４に記憶する。たとえば、図６に示す例において、時刻ｎ−１から時刻ｎまでに取得された加速度波形データを記憶装置２４に記憶する場合、データ保存機能は、図６に示すように、加速度波形データのファイル名に当該加速度波形データの取得が開始された時刻ｎ−１を含ませることで、加速度波形データに時刻ｎ−１のタイムスタンプを付与することができる。このような加速度波形データは、時刻ｎ−１から時刻ｎまでの一定時間における加速度データであり、このように、一定時間における加速度データを１つの加速度波形データのファイルとして保存することで、後述するデータ処理を容易とすることができる。また、データ保存機能は、記憶装置２４に加速度波形データを記憶するとともに、加速度波形データの送信順番をデータ送信キューに登録する。これにより、加速度波形データが時系列順に無線送信されることとなる。
【００３９】
図５のステップＳ１０４において、加速度波形データに有意な振動加速度が含まれないと判断された場合は、ステップＳ１０６に進む。ステップＳ１０６では、処理装置２１の傾斜角算出機能により、ＸＹＺの各軸の加速度波形データの平滑化処理が行われる。たとえば、傾斜角算出機能は、各軸方向の加速度波形データについて、移動平均などの平滑化処理（ローパスフィルター処理）を行うことができる。重力加速度は直流成分であるのに対し、微小な振動ノイズや３軸加速度センサー１０の電気ノイズは交流成分であるため、このような平滑化処理を行うことで、ノイズの影響を大幅に低減することができる。
【００４０】
ステップＳ１０７では、処理装置２１の傾斜角算出機能により、ステップ１０４で有意な振動加速度を含まないと判定された期間のデータから、ステップ１０６で平滑化処理により有意な振動加速度とは判定されないレベルの微小な振動ノイズやセンサー自体の電気ノイズを除去したデータに基づいて、構造物の傾斜角の算出を行い、記憶装置２４に記憶する。具体的には、傾斜角算出機能は、有意な振動加速度を含まないＸＹＺ各方向における重力加速度計測データに基づいて、三角関数を用いた公知の方法により、構造物の各箇所における傾斜角を算出することができる。特に、本実施形態においては、ステップＳ１０４において有意な振動加速度を含まない計測データを選別し、さらに、ステップＳ１０６でノイズ低減処理を予め行うことにより、１／１００°以下の分解能で傾斜角を算出することが可能となる。
【００４１】
ステップＳ１０８では、処理装置２１のデータ送信機能により、ステップＳ１０５で記憶装置２４に記憶された加速度波形データおよびステップＳ１０７で算出された構造物の傾斜角データが、無線通信モジュール３０を介して無線送信される。本実施形態において、データ送信機能は、ステップＳ１０５で登録した送信キューを参照し、取得された時期の古い加速度波形データから順に無線送信を行う。なお、上述したように、本実施形態における無線通信モジュール３０は、マルチホップ通信を行っており、当該センサーユニット１で取得した加速度波形データおよび傾斜角データに加えて、下流のセンサーユニット１から受信した加速度波形データおよび傾斜角データも、上流のセンサーユニット１またはデータ収集ユニット２に無線送信を行う。
【００４２】
ステップＳ１０９の処理は、データ収集ユニット２により行われる。ステップＳ１０９では、データ収集ユニット２の処理装置４１により、構造物の複数の箇所に設置された複数のセンサーユニット１において計測された加速度波形データおよび傾斜角データが、記憶装置４２に保存されると共に、回線通信装置４４および電気通信回線４を介して、遠隔モニタリング装置３に送信される。
【００４３】
ステップＳ１１０〜Ｓ１１３の処理は、遠隔モニタリング装置３により行われる。まず、ステップＳ１１０では、遠隔モニタリング装置３の処理装置５１のデータ受信機能により、データ収集ユニット２から送信された加速度波形データおよび傾斜角データの受信が行われる。そして、データ受信機能は、受信した加速度波形データおよび傾斜角データを、データベース５３に記憶する。
【００４４】
ステップＳ１１１では、処理装置５１の加速度データ抽出機能により、データベース５３を参照して、同時刻に取得された加速度データの抽出が行われる。本実施形態では、データ収集ユニット２から受信した加速度波形データには、加速度データの取得を開始した時刻のタイムスタンプが付与されており、加速度データ抽出機能は、当該タイムスタンプを参照することで、同じ構造物における複数の箇所で、同時刻に取得された複数の加速度データを抽出することができる。なお、ユーザは、遠隔モニタリング装置３の入力装置５４を介して、ユーザが所望する時刻に取得された加速度データを抽出させることもできるし、また、遠隔モニタリング装置３が自動で最新の加速度データを抽出することもできる。
【００４５】
ステップＳ１１２では、処理装置５１の変位量算出機能により、構造物の各箇所における変位量の算出が行われる。たとえば、変位量算出機能は、構造物の各箇所に設置されたセンサーユニット１の経時的な変位量を算出することができる。これにより、構造物の各箇所においてどのような変位が生じているかをユーザに提示することができる。さらに、本実施形態において、変位量算出機能は、算出された同時刻の変位量データを比較することで、構造物の各箇所間の変位量の差を算出することもできる。これにより、構造物全体の歪みの状態をユーザに提示することができる。なお、本実施形態において、加速度データは３軸方向において測定されるため、変位量算出機能は各軸方向における変位量を算出することが可能である。
【００４６】
ステップＳ１１３では、処理装置５１の情報提示機能により、構造物の各箇所の加速度データ、変位量、傾斜角のいずれか１つ以上を含むモニタリング情報が、表示装置５５のディスプレイに表示される。たとえば、情報提示機能は、モニタリングしている構造物のイラストを生成し、当該構造物のイラストに重畳して、構造物の対応箇所で測定された各センサーユニット１の加速度データ、およびそれに基づく変位量や傾斜角を、表示装置５５に表示させることができる。
【００４７】
なお、構造物の振動が継続する場合には、センサーユニット１で送信対象となる加速度波形データの量が多くなり、センサーユニット１が送信可能な送信量を上回ることもあるが、一時的に記憶装置２４に送信対象の加速度波形データを記憶しておくことで、有意な振動加速度が収まった後に、全ての加速度波形データをデータ収集ユニット２へ送信することが可能となる。
【００４８】
次に、図７に基づいて、本実施形態に係る時刻同期処理について説明する。図７は、本実施形態に係る時刻同期処理を示すフローチャートである。なお、図７に示すように、ステップＳ２０１〜Ｓ２０２の処理はデータ収集ユニット２で実行され、ステップＳ２０３〜Ｓ２０５の処理は各センサーユニット１でそれぞれ実行される。また、図５に示す振動モニタリング処理と同様に、図７に示す時刻同期処理では、説明の便宜上、ステップＳ２０１〜Ｓ２０５の処理を時系列に並べて説明するが、各処理はそれぞれ独自のサイクルで繰り返し行われており、また、異なる処理が並行して行われることもある。
【００４９】
まず、ステップＳ２０１では、データ収集ユニット２の処理装置４１により、データ収集ユニット２に内蔵する水晶時計４５の時刻データが取得される。そして、ステップＳ２０２では、データ収集ユニット２の処理装置４１により、無線通信装置４３を介して、ステップＳ２０１で取得されたデータ収集ユニット２の時刻データが各センサーユニット１にマルチホップ通信により無線送信される。
【００５０】
ステップＳ２０３では、センサーユニット１の処理装置２１の時刻同期機能により、無線通信モジュール３０の水晶時計３３の時刻を、ステップＳ２０２で送信されたデータ収集ユニット２の時刻に同期する処理（第１の時刻同期処理）が行われる。たとえば、時刻同期機能は、１０分間隔で、データ収集ユニット２から時刻データを受信することで、１０分ごとに、無線通信モジュール３０の水晶時計３３の時刻を、データ収集ユニット２の時刻に同期することができる。
【００５１】
ステップＳ２０４では、さらに、処理装置２１の時刻同期機能により、処理モジュール２０の水晶時計２３の時刻を、ステップＳ２０３で同期させた無線通信モジュール３０の水晶時計３３の時刻に同期する処理（第２の時刻同期処理）が行われる。たとえば、時刻同期機能は、１分間隔で、無線通信モジュール３０の水晶時計３３の時刻データを取得することで、１分ごとに、処理モジュール２０の水晶時計２３の時刻を、無線通信モジュール３０の時刻、言い換えれば、データ収集ユニット２の時刻に同期することができる。
【００５２】
ステップＳ２０５では、処理装置２１の記憶領域切替機能により、処理モジュール２０の水晶時計２３の時刻を基準として、第１記憶領域２２Ａと第２記憶領域２２Ｂとにおいて、アクティブ領域とストア領域との切り替えが行われる。たとえば、本実施形態では、１０秒ごとに、アクティブ領域とストア領域との切り替えが行われる。ここで、記憶領域切替機能は、当該１０秒間の基準として、水晶時計２３の時刻を利用する。この切替信号は、割り込み入力にて行われるため、アクティブ領域とストア領域との切り替えにソフトウェアによる揺らぎが生じない設計とされている。
【００５３】
このように、本実施形態においては、同一構造物の複数の箇所に設置された複数のセンサーユニット１のそれぞれにおいて、センサーユニット１の処理モジュール２０の水晶時計２３の時刻を、データ収集ユニット２の時刻に同期させることができる。これにより、同一構造物の複数の箇所に設置された複数のセンサーユニット１間の時刻のずれを減少させることができるため、各センサーユニット１間で、実際に同時刻で取得した加速度データに、同時刻のタイムスタンプを付与することができる。これにより、遠隔モニタリング装置３において、構造物の複数の箇所において実際に同時刻に取得された加速度データを、同時刻で取得された加速度データとしてモニタリングすることができ、その結果、構造物の変位量を高い精度で検出することができる。
【００５４】
特に、地震波の主な周波数成分は小さくとも１０Ｈｚ程度あり、その周期は１／１０秒程度となる。そのため、構造物の振動を高い精度でモニタリングするためには、センサーユニット間の時刻のずれ量は、さらにその１／１０、すなわち、１／１００秒以下とすることが要求される。原子時計などの高価な小型内蔵時計を除けば、優れた性能の水晶時計（水晶振動子）でも誤差は５ｐｐｍ程度あり、１日で０．４秒の誤差が生じる。そのため、水晶時計の誤差を１／１００秒以下で維持するためには、本実施形態に係るセンサーユニット１のように、センサーユニット１間の時刻の同期を行う必要があり、本実施形態では、定期的に同期を行うことで、時刻の誤差がほとんどなく、センサーユニット間で、同時刻に取得した加速度データに、同時刻のタイムスタンプを付与することができる。実際に上述した実施例では、センサーユニット間の時刻のずれ量を１／１００秒以下とすることができた。
【００５５】
また、処理モジュール２０の処理装置２１は、３軸加速度センサー１０から加速度データを取得する処理、水晶時計２３の時刻を同期させる処理、加速度波形データを評価し無線送信する処理など複数の処理を同時に行う必要があり、３軸加速度センサー１０から加速度データを漏れなく取得しながら、水晶時計２３の時刻を同期させる必要がある。本実施形態では、第１記憶領域２２Ａと第２記憶領域２２Ｂとにおいて、アクティブ領域とストア領域とを一定時間ごとに切り替えて、アクティブ領域において加速度データの書き込みを行い、ストア領域においてデータ評価を行うことで、３軸加速度センサー１０から加速度データを漏れなく取得しながらも、水晶時計２３の時刻を同期させることが可能となった。
【００５６】
また、本実施形態では、有意な振動加速度を含まない加速度波形データに基づいて、構造物の傾斜角の算出を行うことで、本来、振動モニタリングに利用されない加速度データを有効に利用することができる。また、傾斜角計測は、構造物の変位量計測のための加速度波形計測と並行して自動的に行われるため、構造物が時々刻々と傾いていく様子を高精度に計測することができ、特に地盤沈下によるビルの傾きのような、ゆっくりした傾斜の進行を高精度に計測することができる。また、本実施形態では、傾斜角を算出する場合に、各軸方向における加速度データの平滑化処理を行うことで、微小なノイズ振動や３軸加速度センサー１０自体の電気ノイズの影響を抑制することができ、その結果、１／１００°以下の分解能で、傾斜角を算出することができる。
【００５７】
以上、本発明の好ましい実施形態例について説明したが、本発明の技術的範囲は上記実施形態の記載に限定されるものではない。上記実施形態例には様々な変更・改良を加えることが可能であり、そのような変更または改良を加えた形態のものも本発明の技術的範囲に含まれる。
【符号の説明】
【００５８】
１…センサーユニット
１０…３軸加速度センサー
１１…電源装置
２０…処理モジュール
２１…処理装置
２２Ａ…第１記憶領域
２２Ｂ…第２記憶領域
２３…水晶時計
２４…記憶装置
３０…無線通信モジュール（無線通信装置）
３１…無線通信処理装置
３２…アンテナ
３３…水晶時計
２…データ収集ユニット
４１…処理装置
４２…記憶装置
４３…無線通信装置
４４…回線通信装置
４５…水晶時計
３…遠隔モニタリング装置（監視サーバ）
５１…処理装置
５２…受信装置
５３…データベース
５４…入力装置
５５…表示装置
４…電気通信回線（インターネット）
【図１】
2019100914.tif 000003
【図２】
2019100914.tif 000004
【図３】
2019100914.tif 000005
【図４】
2019100914.tif 000006
【図５】
2019100914.tif 000007
【図６】
2019100914.tif 000008
【図７】
2019100914.tif 000009